(57)【要約】      （修正有）【課題】通常の清掃手段において、回収除去困難な獣毛及び人体頭髪の除去回収を容易にする掃除機を提供する。【解決手段】人間社会において動物と共に生活する事は精神的にも好ましい環境を醸し出すが、室内飼育のペットが多くなると共に住居内を自由に闊歩する動物達は、その代謝に伴い多くの抜け毛を生活環境中に散乱させている事実は否めない。住居内床において起毛或いはループ状繊維構造を有した床敷物に落下した人毛頭髪はある程度は回収可能であるが、猫等の体毛は１０ミクロンに満たない直径の場合が多く、環境によっては残渣タンパク質を好んで餌にするダニ等の温床になりかねない。また、本発明は床のみならず、寝具表面に付着した動物毛の回収効率も高く動物毛によるアレルギーを軽減、予防に効果が高い。【選択図】図１
2016007244.tif 000002
【特許請求の範囲】
【請求項１】
清掃該当面に対し発動機を内蔵し、その原動力よりの回転力により、垂直回転軸をもって、平行に回転運動を伴い、相互反対方向に回転し、その、回転体に仰角を持った反発性を有する動物毛或いは化学繊維集合体をブラシ構造として敷設し、起毛或いはループ状繊維構造を有した床敷物に、落下或いは埋没した動物体毛を除去回収する目的を有した装置。
【請求項２】
請求項１と併せ回転体の発生する陰圧を吸引源として図１に示す１８の如く、除去回収した落下毛を回収する目的での陰圧を応用した回収装置（電気掃除機、真空ポンプ等）との併合使用により、請求項１の目的を高効率に達成可能な装置の組合せ。
【請求項３】
内蔵された原動機に変わり、請求項２において述べた陰圧発生装置の流入気体風力を風車をもってその原動力とし、その、回転力により、垂直回転軸をもって、平行に回転運動を伴い、相互反対方向に回転し、その、回転体に仰角を持った反発性を有する動物毛或いは化学繊維集合体をブラシ構造として敷設し、起毛或いはループ状繊維構造を有した床敷物に、落下或いは埋没した動物体毛を除去回収する目的を有した装置。
【請求項４】
請求項１における仰角を持った反発性を有する動物毛或いは化学繊維集合体をブラシ構造として敷設すべき材料を高強度ブラシ材料を用いる事により、床面研磨、金属表面研磨、さび落とし装置としての応用。
【発明の詳細な説明】
【技術分野】
【０００１】
本発明は、床面等に散乱或いは固着した毛髪および獣毛を容易に回収する項目に関するものである。
【背景技術】
【０００２】
近年の住環境の変化に伴い、畳での生活からフローリング、絨毯、カーペットが敷設された住環境に変化すると共にペットの飼育に関しても住居内での飼育が主流になりつつあるのが近年の傾向であるが、住居室内にて飼育されるペット類から抜け落ちた獣毛は畳、フローリングにおいては比較的容易に清掃作業によって回収除去が可能であるが、絨毯、カーペットに落下した獣毛は容易に回収除去する事が出来ない。
【０００３】
カーペット或いは絨毯当においては、床面歩行時のクッション性を良好にするために、起毛、ループ状の形態を実施してある場合が多く落下獣毛と絡み合い容易に除去回収出来る状態ではない。通常の室内清掃作業において電気掃除機が多用されるが、電気掃除機が発生する陰圧に伴う空気流速のみでは、起毛或いはループ状繊維と絡み合った獣毛は容易に離脱することはない。
【０００４】
電気掃除機の付属品として吸引ヘッド内にモーター或いは負圧に伴い小型の風車を回転させて吸引ヘッド内に敷設されたブラシ上の回転体によって、負圧とブラシの回転力によって清掃作業の効率改善を期待する構造とした電気掃除機もあるが、起毛繊維等の隙間に入り込んだ小さな塵には効果を期待できるが、その構造は床面に対して平行な軸回転をするためと、高速気流と構造体の間に発生する静電気力によって回転軸に付着する。また、回転ブラシによって、すくい上げられた人体頭髪、獣毛は長毛であるほど軸回転体に線輪を施すが如く絡みつく。つまり、長毛落下物に対してはその回収手段を有していない。
【０００５】
人体頭髪は概ね８０〜１５０ミクロン程度の直径を有するが、獣毛は人体頭髪よりもその直径は小さく、清掃能力の低下した電気掃除機吸引ヘッドを精査すると、らせん状に敷設されたブラシに、ブラシ回転方向に同化するかの様に固着し容易に解離する事は無くその隙間に鋭利な刃物を用いて切断するより手段が無い。
【０００６】
起毛等が施された床面に獣毛が落下し、その住居内生活者が落下獣毛上を歩行すれば、落下毛は落下時よりも起毛繊維間により深く入り込み回収困難度は増加すると共に、圧縮され先行的に落下集積した微細な塵も同時に圧縮され、それを餌とする人体に有害な寄生動物の好む場所に生り得る。
【先行技術文献】
【非特許文献】
【０００７】
【非特許文献１】なし
【発明の概要】
【発明が解決しようとする課題】
【０００８】
通常の清掃違手段において回収除去困難な獣毛および人体頭髪の除去回収を容易に実施できない点である。
【課題を解決するための手段】
【０００９】
本発明は一般電気掃除機吸い込み口にアダプターとして敷設し、獣毛等を回収するに当たり該当床面に対して垂直面を持つ回転運動を伴い、かつ該当床面に対し傾斜角を持つブラシ面を起毛或いはループ状の繊維断面を持つ敷物の繊維間勘合および付着獣毛等を内蔵された回転機構によって、円周上に植毛されたブラシを回転せしめ、その回転接触面に付着する獣毛等をブラシ繊維復元力により回収保持し、適時に敷設された獣毛等回収部位にて負圧吸引、櫛歯状に敷設されたしごき取り装置によって、負圧のみで回収されなかった獣毛等を高効率に回収することを特徴とする。
【００１０】
円周上に配列された植毛ブラシを回転せしめた場合、該当円運動に対して反応力の発生が伴うため、ピニオンギアを介した遊星歯車機構によって一輪のみ使用した場合に発生する回転モーメントを２輪構成とする事で相互にそのモーメントを相殺し使用者の保持形態の維持力を軽減した。
【発明の効果】
【００１１】
本発明の落下毛回収装置は、屋内飼育ペットの代謝として発生する多量の抜け毛を飼育者が全ての脱毛、落下毛を高確率で回収するせしめる事は事実上不可能であり、絨毯、カーペットに落下、付着する事は受け入れなければならないが、住環境の清潔と健康を保つために大きく貢献できる利点がある。
【図面の簡単な説明】
【００１２】
【図１】図１は落下毛回収装置の分解図である。
【図２】図２は落下毛回収装置の電源およびモーター配置図である。
【図３】図３は落下毛回収装置毛剥離部斜視図である。
【図４】図４は落下毛回収装置部品実装図である。
【図５】図５は落下毛回収装置である。
【図６】図６は内側ギア斜視図である。
【図７】図７は外側ギア斜視図である。
【発明を実施するための形態】
【００１３】
床面の繊維質敷物に付着した落下毛を効率よく回収するために、床面に対し垂直な回転軸によって平行な回転を与え繊維に潜り込んだ落下毛を強靭な可逆性を持つブラシ繊維によって掻き出し、ブラシ繊維の復元力によって保持し、櫛歯状回収場所まで搬送後、外部に敷設された電気掃除機の吸引力によりブラシ繊維に付着保持された落下毛を回収することにより、簡易な装置によって実現した。
【実施例】
【００１４】
図１は本発明装置の構成部品を列記した分解図である。図１および図２に示す原動力としてのモーター９が起動する事によって、８ウォームギヤに駆動力が伝達され、ウォームギヤ１０が減速比率に従って、駆動ピニオン６に伝達される。駆動モーターの電力供給源はバッテリーケース１３に内蔵されたバッテリー１４であることは言うまでも無い。
【００１５】
駆動ピニオン６はマウントおよびピニオン取り付け板７に回転を損なわない空隙を持って取り付けられている。従動ピニオン５はマウントおよびピニオン取り付け板７に２個存在する、ボス穴に装填される。その、空間内に内側ギア４が挿入され、裏面に設けてある円筒がマウントおよびピニオン取り付け板７中央に設けられている穴に挿入される。また、図示はしていないが、円筒にはスナップリング１１が実装される溝が設けてあり、組み立て中の脱落を防いでいる。従動ピニオン５にも同様なスナップリング用溝は存在する。
【００１６】
マウントおよびピニオン取り付け板７に外側ギア３が全てのピニオンギアを包み込むかの様に、外側ギア勘合部３と一致する位置に挿入される。この組合せで両歯車は反対方向に回転する。また、両歯車装填時外側ギアブラシ植毛空白帯３ｃと内側ギアブラシ植毛空白帯４ｃは全てのピニオンギアの中心線上に位置するように装填される。毛剥離部２は内側ギア６中央部に設けられた穴に挿入されると共に、両ギア空白帯上に３本のアームが一致する場所に装填し、取り付けねじ穴１７にビス等により固着される。また、毛剥離部２には長い円筒が設けられており、その先端部に近い場所にOリング溝２ｆが設けられており、Ｏリング１２が装填される。
【００１７】
本体ケース１７は上部に掃除機吸引接続口１９への負圧干渉帯の存在があり、その中央部よりＯリング１２に密着勘合する内径を有した円筒が設けてあり、掃除機吸引接続口１８による負圧がもれない構造となっている。
【符号の説明】
【００１８】
1  通気部蓋
2  毛剥離部
2a 外側ギア櫛歯部
2b 内側ギア櫛歯部
2c 外側ギア剥離吸引部
2d 内側ギア剥離吸引部
2e 剥離吸引物流路  
2f  Oリング溝
3        外側ギア
3a ブラシ植毛穴
3b 外側ギアブラシ繊維集合体
3c 外側ギアブラシ植毛空白帯
3d 外側ギア勘合部
4        内側ギア
4a 内側ギア植毛穴
4b 内側ギアブラシ繊維集合体
4c 内側ギアブラシ植毛空白帯
5        従動ピニオンギア
6        駆動ピニオンギア
7        マウントおよびピニオン取り付け板
8        ウォームギア
9        駆動モーター
10    ピニオンホイールギア
11    スナップリング
12    Ｏリング
13    バッテリーケース
14    バッテリー
15    バッテリーケース蓋
16    本体ケース
17    取り付けねじ穴
18    掃除機吸引接続口
【図１】
2016007244.tif 000003
【図２】
2016007244.tif 000004
【図３】
2016007244.tif 000005
【図４】
2016007244.tif 000006
【図５】
2016007244.tif 000007
【図６】
2016007244.tif 000008
【図７】
2016007244.tif 000009
【手続補正書】
【提出日】平成26年6月29日(2014.6.29)
【手続補正１】
【補正対象書類名】明細書
【補正対象項目名】全文
【補正方法】変更
【補正の内容】
【発明の詳細な説明】
【技術分野】
【０００１】
本発明は、床面等に散乱或いは固着した毛髪および獣毛を容易に回収する項目に関するものである。
【背景技術】
【０００２】
近年の住環境の変化に伴い、畳での生活からフローリング、絨毯、カーペットが敷設された住環境に変化すると共にペットの飼育に関しても住居内での飼育が主流になりつつあるのが近年の傾向であるが、住居室内にて飼育されるペット類から抜け落ちた獣毛は畳、フローリングにおいては比較的容易に清掃作業によって回収除去が可能であるが、絨毯、カーペットに落下した獣毛は容易に回収除去する事が出来ない。
【０００３】
カーペット或いは絨毯当においては、床面歩行時のクッション性を良好にするために、起毛、ループ状の形態を実施してある場合が多く落下獣毛と絡み合い容易に除去回収出来る状態ではない。通常の室内清掃作業において電気掃除機が多用されるが、電気掃除機が発生する陰圧に伴う空気流速のみでは、起毛或いはループ状繊維と絡み合った獣毛は容易に離脱することはない。
【０００４】
電気掃除機の付属品として吸引ヘッド内にモーター或いは負圧に伴い小型の風車を回転させて吸引ヘッド内に敷設されたブラシ上の回転体によって、負圧とブラシの回転力によって清掃作業の効率改善を期待する構造とした電気掃除機もあるが、起毛繊維等の隙間に入り込んだ小さな塵には効果を期待できるが、その構造は床面に対して平行な軸回転をするためと、高速気流と構造体の間に発生する静電気力によって回転軸に付着する。また、回転ブラシによって、すくい上げられた人体頭髪、獣毛は長毛であるほど軸回転体に線輪を施すが如く絡みつく。つまり、長毛落下物に対してはその回収手段を有していない。
【０００５】
人体頭髪は概ね８０〜１５０ミクロン程度の直径を有するが、獣毛は人体頭髪よりもその直径は小さく、清掃能力の低下した電気掃除機吸引ヘッドを精査すると、らせん状に敷設されたブラシに、ブラシ回転方向に同化するかの様に固着し容易に解離する事は無くその隙間に鋭利な刃物を用いて切断するより手段が無い。
【０００６】
起毛等が施された床面に獣毛が落下し、その住居内生活者が落下獣毛上を歩行すれば、落下毛は落下時よりも起毛繊維間により深く入り込み回収困難度は増加すると共に、圧縮され先行的に落下集積した微細な塵も同時に圧縮され、それを餌とする人体に有害な寄生動物の好む場所に生り得る。
【先行技術文献】
【非特許文献】
【０００７】
【非特許文献１】なし
【発明の概要】
【発明が解決しようとする課題】
【０００８】
通常の清掃違手段において回収除去困難な獣毛および人体頭髪の除去回収を容易に実施できない点である。
【０００９】
本発明は一般電気掃除機吸い込み口にアダプターとして敷設し、獣毛等を回収するに当たり該当床面に対して垂直面を持つ回転運動を伴い、かつ該当床面に対し傾斜角を持つブラシ面を起毛或いはループ状の繊維断面を持つ敷物の繊維間勘合および付着獣毛等を内蔵された回転機構によって、円周上に植毛されたブラシを回転せしめ、その回転接触面に付着する獣毛等をブラシ繊維復元力により回収保持し、適時に敷設された獣毛等回収部位にて負圧吸引、櫛歯状に敷設されたしごき取り装置によって、負圧のみで回収されなかった獣毛等を高効率に回収することを特徴とする。
【００１０】
円周上に配列された植毛ブラシを回転せしめた場合、該当円運動に対して反応力の発生が伴うため、ピニオンギアを介した遊星歯車機構によって一輪のみ使用した場合に発生する回転モーメントを２輪構成とする事で相互にそのモーメントを相殺し使用者の保持形態の維持力を軽減した。
【発明の効果】
【００１１】
本発明の落下毛回収装置は、屋内飼育ペットの代謝として発生する多量の抜け毛を飼育者が全ての脱毛、落下毛を高確率で回収するせしめる事は事実上不可能であり、絨毯、カーペットに落下、付着する事は受け入れなければならないが、住環境の清潔と健康を保つために大きく貢献できる利点がある。
【図面の簡単な説明】
【００１２】
【図１】図１は落下毛回収装置の分解図である。
【図２】図２は落下毛回収装置の電源およびモーター配置図である。
【図３】図３は落下毛回収装置毛剥離部斜視図である。
【図４】図４は落下毛回収装置部品実装図である。
【図５】図５は落下毛回収装置である。
【図６】図６は内側ギア斜視図である。
【図７】図７は外側ギア斜視図である。
【発明を実施するための形態】
【００１３】
床面の繊維質敷物に付着した落下毛を効率よく回収するために、床面に対し垂直な回転軸によって平行な回転を与え繊維に潜り込んだ落下毛を強靭な可逆性を持つブラシ繊維によって掻き出し、ブラシ繊維の復元力によって保持し、櫛歯状回収場所まで搬送後、外部に敷設された電気掃除機の吸引力によりブラシ繊維に付着保持された落下毛を回収することにより、簡易な装置によって実現した。
【実施例】
【００１４】
図１は本発明装置の構成部品を列記した分解図である。図１および図２に示す原動力としてのモーター９が起動する事によって、８ウォームギヤに駆動力が伝達され、ウォームギヤ１０が減速比率に従って、駆動ピニオン６に伝達される。駆動モーターの電力供給源はバッテリーケース１３に内蔵されたバッテリー１４であることは言うまでも無い。
【００１５】
駆動ピニオン６はマウントおよびピニオン取り付け板７に回転を損なわない空隙を持って取り付けられている。従動ピニオン５はマウントおよびピニオン取り付け板７に２個存在する、ボス穴に装填される。その、空間内に内側ギア４が挿入され、裏面に設けてある円筒がマウントおよびピニオン取り付け板７中央に設けられている穴に挿入される。また、図示はしていないが、円筒にはスナップリング１１が実装される溝が設けてあり、組み立て中の脱落を防いでいる。従動ピニオン５にも同様なスナップリング用溝は存在する。
【００１６】
マウントおよびピニオン取り付け板７に外側ギア３が全てのピニオンギアを包み込むかの様に、外側ギア勘合部３と一致する位置に挿入される。この組合せで両歯車は反対方向に回転する。また、両歯車装填時外側ギアブラシ植毛空白帯３ｃと内側ギアブラシ植毛空白帯４ｃは全てのピニオンギアの中心線上に位置するように装填される。毛剥離部２は内側ギア６中央部に設けられた穴に挿入されると共に、両ギア空白帯上に３本のアームが一致する場所に装填し、取り付けねじ穴１７にビス等により固着される。また、毛剥離部２には長い円筒が設けられており、その先端部に近い場所にOリング溝２ｆが設けられており、Ｏリング１２が装填される。
【００１７】
本体ケース１７は上部に掃除機吸引接続口１９への負圧干渉帯の存在があり、その中央部よりＯリング１２に密着勘合する内径を有した円筒が設けてあり、掃除機吸引接続口１８による負圧がもれない構造となっている。
【００１８】
本装置は図１、１８に示す掃除機吸引接続口に負圧が発生した時点で図示省略してあるが、圧力スイッチが能動状態となる事により、同じく図示省略してある電子回路による制御装置により１４のバッテリーより駆動モーター９に電力が供給される。また、駆動モーター９のシャフトに固着されたウォームギア９が回転し、ウォームホイールギア１２は定められた回転減速比率に従い回転をする。
【００１９】
ウォームホイールギア１２は駆動ピニオンギア６にマウントおよびピニオン取り付け板７に貫通接続されており、減速比に従った回転力を内側ギア４と外側ギア３に伝達する。また、ウォームギア８とウォームホイールギア１２は定まった減速比率に従い、減速比率分回転トルクが増加しているのは言うまでもない。
【００２０】
駆動ピニオンギア６は、外側ギア３と内側ギア４に最適勘合する位置に配置されており、従動ピニオンギア５は両ギアの隙間維持のために設けられている。本装置においては、遊星運動すべき複数のギアが固定されているため、外側ギア３と内側ギア４がそれぞれ反対方向に回転する。また、それぞれの歯数と駆動ピニオンギア６の歯数に従った回転数となる。と同時に駆動トルクも減速比率に従い、大きな減速比であれば駆動トルクも大きくなる事は周知の事実である。
【００２１】
部分的図示であるが、外側ギア３および内側ギア４には外側ギアブラシ植毛穴３aに外側ギアブラシ繊維集合体３b、内側ギア植毛穴４aに外側ギアブラシ繊維集合体４bが傾斜角度をもって植毛されている。一般的なブラシ構造は平坦面に植毛されているのみであるが、本装置においては、繊維状床敷物に埋没あるいは固着した動物体毛落下物を回収除去を目的としているため、起毛、ループ状となった繊維に、楔状にブラシ繊維を挿入し、ブラシ繊維の原型状維持のために発生する復元性を積極的に活用する手段としての傾斜植毛である。
【００２２】
傾斜植毛により、繊維状床敷物の奥深くまで侵入したブラシ植毛繊維体はブラシ材質による曲率限界点に達すると大きな反発力を伴って原型状に復元すべく運動を行う。復元時の運動に伴い、繊維状床敷物に絡みついた動物落下毛を捕捉あるいは弾き飛ばすことが可能となる。ブラシ繊維集合体は強度に緊縛された状態で構成されているため、捕捉した動物落下毛は毛剥離部２の外側ギア剥離吸引部２cおよび内側ギア剥離吸引部２dに回転運動によって搬送される。ブラシ繊維集合体に捕捉搬送された動物落下毛の結合の緩い物は、すでに述べた吸引部によって、吸引除去される。
【００２３】
捕捉搬送された動物落下毛であって、結合力の強いものは、吸引力と物理的な力を持って、外側ギア櫛歯部２a、内側ギア櫛歯部２bをもって物理的に除去される。櫛歯部はすでに述べた両ギアブラシ植毛端面根元部分と接触あるいは至近距離を持って構成されているため、ブラシ繊維植毛体の根元部分から回転に伴い上昇応力を発生することが可能な構造となっている。また、ブラシ繊維集合体の有する直径と同等の進入幅であるため、縦方向、横方向の捕捉動物落下毛の除去、剥離に適した構造となっている。ブラシ繊維集合体より除去、剥離された動物落下毛はすでに述べた吸引部によって、吸引除去後、掃除機吸引接続口１８を経由して電気掃除機内に回収される。
【００２４】
本装置の全ての動作工程は図示していない圧力スイッチが動作し、電子回路による制御回路によって、その動作を維持していたが、電気掃除機の動作を遮断された後も本装置は条件を満たすまでその動作を継続維持する。外側ギアブラシ植毛空白帯３cと内側ギア植毛空白帯４cは傾斜植毛集合体が本装置非動作時に長時間屈曲環境によって、経時変化を防止するための制御回路動作を実施する。図示は省略してあるが、外側ギア３と内側ギア４には、極小径の磁石が内蔵されており、ギアの回転位置を検知している。この回転はマウントおよびピニオン取り付け板７に無図示であるが、リードスイッチあるいはホール素子等磁気感応性の電子部品をもって検知され、毛剥離部２に３方向に設けられた通気部蓋１直下にその、両ギア空白帯が位置するまで回転を継続する構成となっている。
【符号の説明】
【００２５】
1  通気部蓋
2  毛剥離部
2a 外側ギア櫛歯部
2b 内側ギア櫛歯部
2c 外側ギア剥離吸引部
2d 内側ギア剥離吸引部
2e 剥離吸引物流路  
2f  Oリング溝
3        外側ギア
3a 外側ギアブラシ植毛穴
3b 外側ギアブラシ繊維集合体
3c 外側ギアブラシ植毛空白帯
3d 外側ギア勘合部
4        内側ギア
4a 内側ギア植毛穴
4b 内側ギアブラシ繊維集合体
4c 内側ギアブラシ植毛空白帯
5        従動ピニオンギア
6        駆動ピニオンギア
7        マウントおよびピニオン取り付け板
8        ウォームギア
9        駆動モーター
10    ウォームホイールギア
11    スナップリング
12    Ｏリング
13    バッテリーケース
14    バッテリー
15    バッテリーケース蓋
16    本体ケース
17    取り付けねじ穴
18    掃除機吸引接続口